(57)【要約】【課題】計数メダル中に自店以外のメダルが混入していた場合における遊技者の損害の発生を回避すること。【解決手段】識別情報が読み取り可能に記憶された記憶部３４を有するメダルのから識別情報を読み取る識別情報読み取り手段２５と、該読み取った前記メダルの識別情報が、正規のメダルであることを示す識別情報であるか否かを照合する照合手段１３と、該照合結果に基づいて、正規のメダルと非正規のメダルとを振分ける振分け手段２６、２９と、該振分けられた正規のメダルを計数する正規メダル計数手段３８と、前記振分けられた非正規のメダルを計数する非正規メダル計数手段２８と、該非正規メダル計数手段２８にて計数された非正規のメダルを収集する非正規メダル収集手段３１，２０前記計数された前記正規のメダル数と非正規のメダル数とを合算して総メダル数を算出する総メダル数算出手段１３と、該算出された総メダル数を出力する総メダル数出力手段９と、を備える。【選択図】    図１
2004236741.tif 000002
【特許請求の範囲】
【請求項１】
少なくとも正規のメダルであることを識別可能な識別情報が読み取り可能に記憶された記憶部を有するメダルの該記憶部に記憶されている識別情報を読み取る識別情報読み取り手段と、
該識別情報読み取り手段にて読み取った前記メダルの識別情報が、正規のメダルであることを示す識別情報であるか否かを照合する照合手段と、
該照合手段による照合結果に基づいて、正規のメダルと非正規のメダルとを振分ける振分け手段と、
該振分け手段にて振分けられた正規のメダルを計数する正規メダル計数手段と、前記振分け手段にて振分けられた非正規のメダルを計数する非正規メダル計数手段と、
該非正規メダル計数手段にて計数された非正規のメダルを収集する非正規メダル収集手段と、
前記正規メダル計数手段にて計数された正規メダル数と前記非正規メダル計数手段にて計数された非正規メダル数とを合算して総メダル数を算出する総メダル数算出手段と、
該総メダル数算出手段にて算出された総メダル数を出力する総メダル数出力手段と、
を備えることを特徴とするメダル計数機。
【請求項２】
前記振分け手段は、メダル通路上の前記識別情報読み取り手段の下流位置に設けられ、メダル通路を正規なメダルの経路と、非正規なメダルの経路とに切り替える経路切替部材と、該経路切替部材による経路を前記照合手段による照合結果に基づいて切り替える制御を行う経路切替制御部と、を含む請求項１に記載のメダル計数機。
【請求項３】
前記総メダル数算出手段は、前記非正規メダル計数手段による１枚の非正規のメダルの計数毎に総メダル数への加算を実施し、前記総メダル数出力手段は、該加算後の総メダル数を逐次出力する請求項１または２に記載のメダル計数機。
【請求項４】
前記非正規メダル計数手段にて計数された非正規のメダル数を出力する非正規メダル数出力手段を備える請求項１〜３ののいずれかに記載のメダル計数機。
【請求項５】
前記照合手段による照合結果に基づいて、非正規のメダルがあった旨を報知する報知手段を備える請求項１〜４のいずれかに記載のメダル計数機。
【請求項６】
前記報知手段は、前記非正規メダル計数手段にて計数された非正規のメダル数が予め所定の枚数以上であるときに非正規のメダルがあった旨を報知する請求項５に記載のメダル計数機。
【請求項７】
前記非正規メダル計数手段にて計数された非正規のメダル数が予め所定の枚数以下であるときに前記総メダル数算出手段にて算出された総メダル数の情報が記録された記録媒体を発行する記録媒体発行手段を備える請求項１〜６のいずれかに記載のメダル計数機。
【請求項８】
その時点における日時情報を出力する日時情報出力手段と、前記正規メダル計数手段にて計数された正規のメダル数と前記非正規メダル計数手段にて計数された非正規のメダル数の計数結果を、前記日時情報出力手段から出力される日時情報に対応付けて計数履歴として記憶する計数履歴記憶手段と、該計数履歴記憶手段に記憶されている計数履歴を出力するための計数履歴出力手段と、
を備える請求項１〜７のいずれかに記載のメダル計数機。
【請求項９】
前記正規メダル計数手段にて計数された正規のメダル数と前記非正規メダル計数手段にて計数された非正規のメダル数の計数結果を計数履歴として記憶する計数履歴記憶手段と、
前記計数履歴記憶手段に記憶されている計数履歴に基づいて、計数した正規のメダル数と非正規のメダル数並びに総メダル数の累計枚数を集計する集計手段と、該集計手段により集計された正規のメダル数と非正規のメダル数並びに総メダル数の累計枚数の情報を出力する累計枚数出力手段と、
を備える請求項１〜８のいずれかに記載のメダル計数機。
【発明の詳細な説明】
【０００１】
【発明の属する技術の分野】
本発明は、スロットマシンに使用されるメダルを計数するためのメダル計数機、特には、他の遊技場等から不正に持ち込まれた非正規のメダルを識別することのできるメダル計数機に関する。
【０００２】
【従来の技術】
従来、スロットマシンに使用される遊技媒体であるメダルは、どの遊技場においても外径や重量がほぼ同一であるために、ある遊技場にて所得された遊技媒体が他の遊技場に持ち込まれて遊技に使用される場合があり、これら不正に持ち込まれた他の遊技場等のメダルがメダル計数機に投入されて計数された場合には、遊技場が不利益を被ることになるという問題があった。
【０００３】
このため、これらの問題を解決する手法として、遊技媒体、特にはメダル内に当該遊技場に固有の識別情報を非接触にて読み取り可能に記憶した非接触ＩＤ（ＲＦ−ＩＤ）チップを内蔵し、該遊技媒体の計数に際して、当該遊技媒体の非接触ＩＤ（ＲＦ−ＩＤ）チップに記憶されている識別情報を読み取って、自店の識別情報と一致するかを判定し、自店の識別情報と一致しないメダルを計数しないようにしたものが提案されている（特許文献−１）。
【０００４】
【特許文献１】
特開２００２−１７７６２６号公報  （第２〜４頁、第２図）
【０００５】
【発明が解決しようとする課題】
しかしながら、前記した特許文献−１のメダル計数機においては、計数のために投入したメダルの内、自店の識別情報と一致しないメダルは計数せずに排除するものであるために、遊技者が故意にこれらの自店の識別情報と一致しないメダルを投入したのではなく、自分が遊技にて獲得したメダルに自店の識別情報と一致しないメダルが混入していた場合には、該混入していた自店の識別情報と一致しないメダル枚数分を、遊技者が損してしまうという問題があった。
【０００６】
よって、本発明は上記した問題点に着目してなされたもので、計数メダル中に自店の識別情報と一致しないメダルが混入していた場合であっても、遊技者が損してしまうことのないメダル計数機を提供することを目的としている。
【０００７】
【課題を解決するための手段】
前記した問題を解決するために、本発明のメダル計数機は、少なくとも正規のメダルであることを識別可能な識別情報が読み取り可能に記憶された記憶部を有するメダルの該記憶部に記憶されている識別情報を読み取る識別情報読み取り手段と、
該識別情報読み取り手段にて読み取った前記メダルの識別情報が、正規のメダルであることを示す識別情報であるか否かを照合する照合手段と、
該照合手段による照合結果に基づいて、正規のメダルと非正規のメダルとを振分ける振分け手段と、
該振分け手段にて振分けられた正規のメダルを計数する正規メダル計数手段と、前記振分け手段にて振分けられた非正規のメダルを計数する非正規メダル計数手段と、
該非正規メダル計数手段にて計数された非正規のメダルを収集する非正規メダル収集手段と、
前記正規メダル計数手段にて計数された正規メダル数と前記非正規メダル計数手段にて計数された非正規メダル数とを合算して総メダル数を算出する総メダル数算出手段と、
該総メダル数算出手段にて算出された総メダル数を出力する総メダル数出力手段と、
を備えることを特徴としている。
この特徴によれば、計数メダル中に自店の識別情報と一致しない非正規のメダルが混入していた場合であっても、該非正規と判断された非正規メダルの枚数が、前記非正規メダル計数手段により計数され、前記正規と判定されて正規メダル計数手段により計数された正規メダル数と合算されて、該合算後の総メダル数が計数されたメダル数として出力されるようになるため、これら非正規のメダル数を遊技者が損してしまうことを解消できる。
【０００８】
本発明のメダル計数機の前記振分け手段は、メダル通路上の前記識別情報読み取り手段の下流位置に設けられ、メダル通路を正規なメダルの経路と、非正規なメダルの経路とに切り替える経路切替部材と、該経路切替部材による経路を前記照合手段による照合結果に基づいて切り替える制御を行う経路切替制御部と、を含むことが好ましい。
このようにすれば、簡素な構成で、正規と非正規のメダルを確実に振分けることができる。
【０００９】
本発明のメダル計数機の前記総メダル数算出手段は、前記非正規メダル計数手段による１枚の非正規のメダルの計数毎に総メダル数への加算を実施し、前記総メダル数出力手段は、該加算後の総メダル数を逐次出力することが好ましい。
このようにすれば、１枚の非正規のメダルの計数毎に、総メダル数への加算並びに総メダル数出力を実施することで、非正規のメダルがあった場合でも、遊技者に対して違和感を与えてしまうことを防止できる。
【００１０】
本発明のメダル計数機は、前記非正規メダル計数手段にて計数された非正規のメダル数を出力する非正規メダル数出力手段を備えることが好ましい。
このようにすれば、非正規のメダル数を簡便に確認することができる。
【００１１】
本発明のメダル計数機は、前記照合手段による照合結果に基づいて、非正規のメダルがあった旨を報知する報知手段を備えることが好ましい。
このようにすれば、非正規のメダルの存在を簡便に確認することができる。
【００１２】
本発明のメダル計数機の前記報知手段は、前記非正規メダル計数手段にて計数された非正規のメダル数が予め所定の枚数以上であるときに非正規のメダルがあった旨を報知することが好ましい。
このようにすれば、所定の枚数未満の少量の非正規メダルが混入している場合には、一々報知されることがなくなるので、頻繁に報知がなされることにともなう係員等の確認労力を低減できる。
【００１３】
本発明のメダル計数機は、前記非正規メダル計数手段にて計数された非正規のメダル数が予め所定の枚数以下であるときに前記総メダル数算出手段にて算出された総メダル数の情報が記録された記録媒体を発行する記録媒体発行手段を備えることが好ましい。
このようにすれば、非正規のメダル数が所定枚数を越えたときには、総メダル数の情報が記録された記録媒体の発行がなされないことから、非正規のメダルを使用しての不正な記録媒体の発行を回避できる。
【００１４】
本発明のメダル計数機は、その時点における日時情報を出力する日時情報出力手段と、
前記正規メダル計数手段にて計数された正規のメダル数と前記非正規メダル計数手段にて計数された非正規のメダル数の計数結果を、前記日時情報出力手段から出力される日時情報に対応付けて計数履歴として記憶する計数履歴記憶手段と、該計数履歴記憶手段に記憶されている計数履歴を出力するための計数履歴出力手段と、
を備えることが好ましい。
このようにすれば、計数の実施状況とともに、各計数における正規のメダル数と非正規のメダル数である計数結果を簡便に把握することができる。
【００１５】
本発明のメダル計数機は、前記正規メダル計数手段にて計数された正規のメダル数と前記非正規メダル計数手段にて計数された非正規のメダル数の計数結果を計数履歴として記憶する計数履歴記憶手段と、
前記計数履歴記憶手段に記憶されている計数履歴に基づいて、計数した正規のメダル数と非正規のメダル数並びに総メダル数の累計枚数を集計する集計手段と、該集計手段により集計された正規のメダル数と非正規のメダル数並びに総メダル数の累計枚数の情報を出力する累計枚数出力手段と、
を備えることが好ましい。
このようにすれば、計数した正規のメダル数と非正規のメダル数並びに総メダル数の累計枚数を簡便に把握することができる。
【００１６】
【発明の実施の形態】
以下、本発明の実施例を図面に基づいて説明する。
（実施例）
図１は、本実施例のメダル計数機１を示す外観斜視図であり、その前方側には、上面が開放されて、該投入されたメダルを中心部の開口に導くメダル受け皿３が設けられたメダル投入部が、前方に突出する形態にて設けられており、該メダル投入部に投入されたメダルが、前記メダル受け皿３の中央部に設けられた開口からメダル計数機１内部に流入するようになっている。
【００１７】
ここで、メダル計数機１に投入、計数される本実施例に用いたメダル３０ａについて図４に基づいて簡単に説明すると、メダル３０ａは、アンテナコイル３５を内蔵したアンテナ内蔵型のＩＣチップ３４と、ＩＣチップ３４の外周全体を取り囲む樹脂部３６とで構成されたＩＣメダルとされている。
【００１８】
該ＩＣチップ３４は、ＣＰＵ、ＲＯＭ、ＲＡＭ、ＥＥＰＲＯＭなどを備えたもので、メダル計数機１内部に設けられた後述するＲＦ−ＩＤ読み取りユニット２５から放射される電波に基づいて生成される電力にて付勢されて作動する。
【００１９】
またＩＣチップ３４のＥＥＰＲＯＭには当該遊技場を識別可能な情報である遊技場ＩＤが記憶されており、ＩＣチップ３４がアンテナコイル３５を備えることにより、該ＥＥＰＲＯＭに記憶している遊技場ＩＤを電波により非接触状態にてＲＦ−ＩＤ読み取りユニット２５に送信できるようになっている。尚、本実施例では、これら当該遊技場の遊技場ＩＤが記憶されたＩＣメダルを正規メダル３０ａとし、当該遊技場の遊技場ＩＤ以外の識別情報が記録されたものや、識別情報の記録のないＩＣメダルやＩＣメダルではない通常のメダル等は非正規のメダル３０ｂとして区別する。
【００２０】
また、樹脂部３６は、本実施形態ではポリエチレンテレフタレート樹脂からなり、ＩＣチップ３４を設置した金型内に、熱溶融した樹脂材料を充填して冷却・固化することによって形成され、遊技用メダル３の表裏面には、遊技場の名称やその他の装飾模様が刻設されている。
【００２１】
前記メダル受け皿３が配置されて、これらの正規メダル３０ａや非正規メダル３０ｂが混合したメダル３０が投入されるメダル投入部の奥方位置となる筐体２の全面には、投入されたメダルの内、正規メダル３０ａと判定されたメダル数である正規数が表示される正規メダル表示器１０や、投入されたメダルの内、非正規メダル３０ｂと判定されたメダル数である非正規数が表示される非正規メダル表示器１１や、正規メダル３０ａと非正規メダル３０ｂとの合計である総メダル数が表示される総メダル数表示器９や、計数結果が印字されたレシートが発行されるレシート発行口６や、メダルの投入後においてメダルの計数を開始する際に押圧操作するスタートボタンスイッチ７と、全ての投入メダルの計数の完了後において押圧操作することで、前記レシート発行口６から前記レシートが発行される発行ボタンスイッチ８とを有する前面パネル５が設けられている。
【００２２】
また、メダル計数機１の前記前面パネル５の上部位置となる天面には、多数のＬＥＤが横方向に配列されて一体化された報知ＬＥＤ４が設けられており、所定枚数（本実施例では５枚）以上の非正規メダル３０ｂが計数された場合に、該報知ＬＥＤ４が点灯されて、該所定枚数以上の非正規メダル３０ｂが計数されたことを報知するようになっている。
【００２３】
この本実施例のメダル計数機１の内部の構成は、図２の側断面図に示すようになっており、前記メダル受け皿３の下方には、該メダル受け皿３の中央に設けられた開口から流入したメダルを、回転することによって円周方向に設けられた排出口１９に整列して送り出すための回転板１５が、筐体２の中央を横断するように設けられた機構盤１８上に設けられているとともに、該回転板１５の外周には、該回転板１５に外接するように円筒状の枠体１４が設けられている。また、前記回転板１５の回転中心部には、前記メダル受け皿３の中央に設けられた開口内に位置するように円柱状の回転子１６が設けられていて、該回転子１６が回転板１５とともに回転することで、投入されたメダルが該開口にて目づまりを生じることなく回転板１５上に流入するようになっている。尚、図中の１７は、前記回転板１５並びに回転子１６を回動させるための円盤駆動モータである。
【００２４】
また、前記排出口１９には、該排出口１９から整列排出されたメダル３０が搬送される搬送路２１の一端が接続されている。（図３参照）
【００２５】
搬送路２１には一対の平行なガイドレール２１’を設けてあり、ガイドレール２１’はメダル３０の直径方向両端周縁をメダル下面側から支持するようになっている。従って、ガイドレール２１’上に載置されたメダル３０は、平面状に一列に整列して搬送路２１を進む。ガイドレール２１’に下面を支持されたメダル３０は、直径方向両端の外周がガイドレール２１’から若干突出するようになっている。
【００２６】
本実施例では、搬送路２１の上流部、具体的には、後述する進路変更板２９の上流域において、ガイドレール２１’の間が空隙とされていて、計数対象となる直径φのメダル３０のみを載置搬送し、これより小さい直径の非計数対象のメダルや異物等が、ガイドレール２１’間に落下するようになっている。
【００２７】
この一対のガイドレール２１’を有する搬送路２１には、搬送路２１上流側に設けられた一対のローラ２２，２３と、搬送路２１の下流側に設けられた一対のローラ４２，４３とが設けてあり、対を成すローラ２２，２３とローラ４２，４３間に無端状のゴムベルト２４、４４を、前記ガイドレール２１’間を搬送されるメダル３０に無端状のゴムベルト２４、４４が当接するように張架するとともに、前記ローラ２３を第１搬送駆動モータ３３にて、前記ローラ４３を第２搬送駆動モータ３９にて駆動することで、該搬送路２１上を無端状のゴムベルト２４の移動に伴ってメダル３０が間歇的に整列移動するとともに、ゴムベルト２４の終端位置に達したメダル３０は、前記第２搬送駆動モータ３９にて常時駆動されるゴムベルト４４により、搬送路２１の終端に搬送されるようになっている。
【００２８】
また、搬送路２１の最上流部位置には、前記排出口１９から整列排出されたメダル３０の存在を検知するためのメダル検出センサ２７が設けられているとともに、該メダル検出センサ２７のメダルの移動方向直下位置には、移動してきたメダル３０に内在されているＩＣチップ３４に記憶されている識別情報を読み取るためのＲＦ−ＩＤ読み取りユニット２５が、前記両ローラ２２，２３間に張架されたゴムベルト２４間に介在するとともに、前記搬送路２１を近接して覆うように設けられている。
【００２９】
更に、ＲＦ−ＩＤ読み取りユニット２５の下流位置には、ソレノイド２６の励磁により、揺動軸２９’を揺動中心として上下方向に揺動する進路変更板２９が、搬送路２１を横断するように設けられており、通常においては、進路変更板２９が搬送路２１と同一平面上に位置することで、搬送路２１を移動してきたメダル３０が進路変更板２９上を通過し、前記ゴムベルト４４により搬送路２１の終端へ移送されて、該搬送路２１の終端位置に設けられている正規メダル３０ａを検出するための正規メダル検出センサ３８により検出された後、回収口３２’から回収経路３２を落下して、メダル計数機１の下面からメダル計数機１の下方に設けられた回収ボックス（図示略）に回収される。また、前記ＲＦ−ＩＤ読み取りユニット２５により読み取られた識別情報である遊技場ＩＤが、自店のものではない場合には、前記ソレノイド２６の励磁により前記揺動軸２９を中心として揺動し、進路変更板２９が搬送路２１の搬送面よりも下方に落下口３１’に向けて傾斜した状態となることで、該進路変更板２９の位置に進入してきたメダルが進路変更板２９上を流下して進路変更板２９の流下方向下端位置に設けられている非正規メダル検出センサ２８にて検出された後に、落下口３１’へと流入し、落下路３１を通じて機構盤１８の下方に設けられた収集部２０に回収されるようになっている。
【００３０】
また、前記前面パネル５の内方には、図２に示すように、計数結果や計数履歴や累計情報を印刷出力するためのレシートプリンタ１２や、図５に示すように、ＲＯＭ内部に記憶されている処理プログラムに基づいて、前記各表示器の表示制御や報知ＬＥＤの点灯制御や、計数処理、経路切替やＩＣメダルから読み取った遊技場ＩＤに基づく照合処理や、各種レシートの発行処理等を行うＣＰＵや、計数履歴等を記憶やワークメモリ等として使用されるＲＡＭや、その時点の日時情報やカレンダ情報（曜日）等のデータを出力するリアルタイムクロック（ＲＴＣ）等を含む制御基板１３が設けられている。
【００３１】
また、前記ＲＯＭ内部には、該メダル計数機１が設置された遊技場で使用されている正規メダル３０ａに記憶されている遊技場ＩＤや、レシートの発行を実施しない非正規メダル枚数や報知ＬＥＤ４を点灯させて報知を実施する非正規メダル枚数の設定データが記憶されている。
【００３２】
この制御基板１３には、図５に示すように、前記第１搬送駆動モータ３３や第２搬送駆動モータ３９並びに円盤駆動モータ１７の駆動を制御するモータ駆動回路４０や、前記全面パネル５に設けられたスタートボタンスイッチ７や発行ボタンスイッチ８、総メダル数表示器９、正規メダル表示器１０、非正規メダル表示器１１、報知ＬＥＤ４、経路切替ソレノイド２６、メダル検出センサ２７、非正規メダル検出センサ２８、正規メダル検出センサ３８、ＲＦ−ＩＤ読み取りユニット２５、レシートプリンタ１２が接続されており、これら各部との信号授受に基づいて、制御基板１３に搭載された前記ＣＰＵにより、各部の動作が制御されるようになっている。
【００３３】
また、この制御基板１３の前記ＲＡＭには、図６に示すような計数履歴テーブルが登録されており、該計数履歴テーブルには、１営業日において実施された各計数の計数結果である正規メダル数と非正規メダル数、並びに正規メダル数と非正規メダル数の合計である総メダル数と、レシートの発行の有無（所定枚数以上の非正規メダル数ではレシートを発行しないとともに、所定時間以上に亘って発行ボタンスイッチ８が操作されていない場合には、無しが登録される）と、その時刻とが、各計数順に付与される計数番号に対応付けて登録されるようになっているとともに、正規メダル数と非正規メダル数並びに総メダル数とレシート発行枚数の累計が算出、記憶されるようになっていて、これら計数履歴テーブルの登録内容は、図７に示すように、前記スタートボタンスイッチ７と発行ボタンスイッチ８とを同時に押圧操作することで、レシート４１に印刷されて出力されるようになっている。
【００３４】
以下、本実施例のメダル計数機１の処理内容を、図８に示すフロー図に基づいて説明すると、まず、前記制御基板１３のＣＰＵは、スタートボタンスイッチ７の操作があるか否かを判定し（Ｓ１）、操作が無い場合にはＳ１２へ進んで、スタートボタンスイッチ７と発行ボタンスイッチ８の両ボタンスイッチの同時操作があるか否かを判定し（Ｓ１２）、これら同時操作が無い場合にはＳ１６へ進んで、発行ボタンスイッチ８の操作があるか否かを判定し（Ｓ１６）、操作が無い場合には前記Ｓ１に戻ることで、スタートボタンスイッチ７の単独操作、両ボタンスイッチの同時操作、発行ボタンスイッチ８の単独操作の検出待ち状態となっている。
【００３５】
この段階において、計数したいメダル３０を前記メダル受け皿３に投入した後、前記スタートボタンスイッチ７を押圧操作すると、該スタートボタンスイッチ７の操作が前記Ｓ１において検出されてＳ２へ進み、前記円盤駆動モータ１７並びに第１搬送駆動モータ３３並びに第２搬送駆動モータ３９を駆動した後、Ｓ３に進んで前記メダル検出センサ２７によるメダルの検出の有無を判定し、メダル検出が無い場合には、Ｓ１４に進んで、所定時間が経過しているか否かを判定して、所定時間が経過していない場合には、再度Ｓ３に戻り、メダル検出センサ２７によるメダルの検出待ちとなる。尚、Ｓ１４の所定時間が経過している場合には、投入された全メダル３０の計数が終了したものと判断し、Ｓ１５に進んで円盤駆動モータ１７並びに第１搬送駆動モータ３３並びに第２搬送駆動モータ３９の駆動を停止した後、Ｓ１に戻る。
【００３６】
前記Ｓ２による前記円盤駆動モータ１７並びに第１搬送駆動モータ３３の駆動に伴って、メダル受け皿３に投入されたメダル３０は、前記Ｓ２による円盤駆動モータ１７並びに第１搬送駆動モータ３３の駆動によって回転板１５が回動することにより、前記排出口１９から搬送路２１へと整列して排出されていき、該整列排出されたメダルが該搬送路２１の搬送方向最上流部に設けられている前記メダル検出センサ２７により検出されるようになる。
【００３７】
このメダル検出センサ２７によりメダルが検出された場合には、Ｓ３においてメダル検出有りと判定されてＳ４に進んで、該検出したメダル３０から前記ＲＦ−ＩＤ読み取りユニット２５が該メダル３０に記憶されている遊技場ＩＤを読み取ることできる所定位置に、該メダル３０を搬送する。この搬送に伴って、該搬送により所定の読み取り位置に移動したメダル３０の後方に後続するメダル３０が存在する場合には、該後続メダル３０がメダル検出センサ２７により検出される位置に搬送されてメダル検出センサ２７により検出されるようになるため、Ｓ７におけるメダル３０からの遊技場ＩＤの読み取りを実施する前に、Ｓ５において、後続メダル３０がメダル検出センサ２７により検出されているかを判定し、メダル検出センサ２７によりメダル３０の検出がある場合には、Ｓ６へ進んで後続メダルフラグをＯＮ（登録有り）とし、メダル検出センサ２７によりメダル３０の検出がない場合にはＳ２９へ進んで、後続メダルフラグをＯＦＦ（登録無し）とした後、Ｓ７へ進む。
【００３８】
Ｓ７においては、前記Ｓ４にて所定の読み取り位置に搬送されたメダル３０に記憶されている遊技場ＩＤの読み取りを実施し、該読み取った遊技場ＩＤが前記ＲＯＭに予め登録されている当該遊技場の遊技場ＩＤに一致するか否かを判定する（Ｓ８）。
【００３９】
該Ｓ８の判定において一致と判断した場合には、読み取りを実施したメダル３０を正規メダル３０ａと判定して、Ｓ９に進んで、前記ゴムベルト２４を１メダル分に相当する所定距離分駆動することで、該読み取りを実施したメダル３０が下流側のゴムベルト４４と当接し、常時駆動されているゴムベルト４４により該搬送路２１の終端へと搬送される。
【００４０】
これら搬送路２１の終端へと搬送された正規メダル３０ａは、前記正規メダル検出センサ３８にて検出され、該検出がＳ１０において検知されてＳ１０＋に進み、正規メダル数並びに総メダル数に１を加算するとともに、前記正規メダル数表示器１０と総メダル数表示器９の表示を更新する。
【００４１】
この際、Ｓ１１において前記後続メダルフラグの状態判定を実施して、後続メダルフラグがＯＮである場合には前記Ｓ５に戻り、後続メダルフラグの更新を行うとともに、Ｓ１０における移動により新たに読み取り位置に移動したメダルに記憶されている遊技場ＩＤの読み取りを実施して、該読み取った遊技場ＩＤの判定を実施する処理を、繰返し実施していく。また、Ｓ１１における前記後続メダルフラグの状態判定において後続メダルフラグがＯＦＦである場合には前記Ｓ２に戻り、前記円盤駆動モータ１７と第１搬送駆動モータ３３並びに第２搬送駆動モータ３９の駆動を実施した後、Ｓ３に進んで前記メダル検出センサ２７によるメダルの検出待ちとなる。
【００４２】
また、前記Ｓ８の判定において不一致と判断した場合には、読み取りを実施したメダル３０を非正規メダル３０ｂと判定して、Ｓ２１において１メダル分に相当する所定距離分、前記ゴムベルト２４に当接している搬送路２１の上流側の各メダル３０を移動（搬送）した後、前記経路切替ソレノイド２６を励磁し、進路変更板２９を揺動により傾斜配置する。（Ｓ２２）
【００４３】
これにより、前記Ｓ２１の移動により所定の読み取り位置から進路変更板２９上に移動した非正規メダル３０ｂが、Ｓ２２において傾斜配置されることで、該非正規メダル３０ｂが傾斜方向へ流下して、非正規メダル検出センサ２８にて検出される。
【００４４】
これら傾斜方向へ流下することに伴う前記非正規メダル検出センサ２８による非正規メダル３０ｂの検出は、Ｓ２３において検知されてＳ２４に進み、非正規メダル数並びに総メダル数に１を加算するとともに、前記非正規メダル数表示器１１と総メダル数表示器９の表示を更新した後、Ｓ２５において該加算更新後の非正規メダル数が、前記ＲＯＭに記憶されている報知ＬＥＤ４を点灯させて報知を実施する非正規メダル枚数（本実施例では５枚）に達しているかを判定し、達している場合には、Ｓ２８へ進んで報知ＬＥＤ４を点灯した後、Ｓ２６に戻るようになっている。
【００４５】
このように、本実施例では、非正規メダル３０ｂの枚数が予め定められた所定枚数以上になった場合において、報知ＬＥＤ４を点灯して非正規メダル３０ｂが計数されたことを報知するようにしており、このようにすることは、所定の枚数未満の少量の非正規メダルが混入している場合には、一々報知ＬＥＤ４が点灯されて報知されることがなくなるので、頻繁に報知がなされることにともなう係員等の確認労力を低減できることから好ましいが、本発明はこれに限定されるものではなく、非正規メダルを１枚でも計数した場合に報知ＬＥＤ４を点灯して報知するようにしても良い。
【００４６】
また、本実施例では、遊技場ＩＤの不一致による非正規メダル３０ｂの１判定に基づいて、非正規メダル数並びに総メダル数に１を加算し、前記非正規メダル数表示器１１と総メダル数表示器９の表示を１つずつ更新するようになっており、このようにすることは、１枚の非正規のメダルの計数毎に、総メダル数への加算並びに総メダル数表示を実施することで、非正規のメダルがあった場合でも、遊技者に対して違和感を与えてしまうことを防止できることから好ましいが、本発明はこれに限定されるものではなく、これら非正規のメダルの総メダル数への加算並びに総メダル数表示を、所定枚数の計数毎にまとめて実施するようにしても良い。
【００４７】
次いでＳ２６に進み、前記Ｓ２２にて傾斜配置した進路変更板２９を通常位置に戻した後、Ｓ２７において、前記後続メダルフラグの状態判定を実施して、後続メダルフラグがＯＮである場合には前記Ｓ５に戻り、後続メダルフラグの更新を行うとともに、Ｓ９またはＳ２１における移動により新たに読み取り位置に移動したメダル３０に記憶されている遊技場ＩＤの読み取りを実施して、該読み取った遊技場ＩＤの判定を実施する処理を、繰返し実施していく。また、Ｓ２７における前記後続メダルフラグの状態判定において後続メダルフラグがＯＦＦである場合には前記Ｓ２に戻り、前記円盤駆動モータ１７と第１搬送駆動モータ３３並びに第２搬送駆動モータ３９の駆動を実施した後、Ｓ３に進んで前記メダル検出センサ２７によるメダルの検出待ちとなる。
【００４８】
投入された全てのメダルの計数が終了した場合には、所定時間が経過してもメダル検出が無いことから、該Ｓ３→Ｓ１４における待機状態において、所定時間が経過したと判定されて、Ｓ１５において円盤駆動モータ１７と第１搬送駆動モータ３３並びに第２搬送駆動モータ３９の駆動を停止した後、Ｓ１に戻り、発行ボタンスイッチ８の操作待ち状態となる。
【００４９】
この段階においては、前記正規メダル数表示器１０と総メダル数表示器９並びに非正規メダル数表示器１１には、計数された枚数が表示されており、メダルの投入者は、該表示を確認した後、前記発行ボタンスイッチ８を押圧操作する。
【００５０】
該発行ボタンスイッチ８を押圧操作は、Ｓ１６にて検出されてＳ１７に進み、総メダル数に計数値が有るか否かを判定し、計数値が無い場合には、誤操作と判定してＳ１に戻り、計数値が有る場合にはＳ１８に進んで、非正規メダル数表示器１１に表示している非正規メダル数が、前記ＲＯＭに記憶されているレシートの発行を実施しない非正規メダル枚数（本実施例では５枚）に達しているか否かを判定する。
【００５１】
該Ｓ１８の判定において、非正規メダル枚数がレシートの発行を実施しない所定枚数である５枚以上である場合には、レシートの発行処理をスキップしてＳ２０へ進み、非正規メダル枚数がレシートの発行を実施しない所定枚数である５枚未満である場合には、Ｓ１９のレシート発行処理を実施して、計数結果である前記正規メダル数表示器１０と総メダル数表示器９並びに非正規メダル数表示器１１に表示された正規メダル数と総メダル数並びに非正規メダル数が印刷されたレシートを発行する。
【００５２】
次いで、Ｓ２０へ進むことで、計数結果並びにレシートの発行の有無とその時刻とを計数履歴テーブルに登録した後、計数結果をリセットして前記Ｓ１に戻る。
【００５３】
この計数もレシート発行もしていない状態において、前記計数履歴テーブルに登録された計数履歴を確認したい場合には、スタートボタンスイッチ７と発行ボタンスイッチ８の両ボタンスイッチを同時に押圧操作することで、該操作がＳ１２にて検出され、Ｓ１３の発行履歴印刷処理に進むことで、前記計数履歴テーブルに登録された計数履歴の各データと、正規メダル数と総メダル数並びに非正規メダル数の累計、並びに発行したレシート数の情報が、図７に示すように印字されて出力される。
【００５４】
以上、本実施例の遊技用システムによれば、計数メダル中に自店の識別情報と一致しない非正規のメダルが混入していた場合であっても、該非正規と判断されたメダルの枚数が、前記総メダル数算出手段により正規と判断されたメダルの枚数と合算されて、該合算後の総メダル数が計数されたメダル数として出力されるようになるため、これら非正規のメダル数を遊技者が損してしまうことを解消できる。
【００５５】
前記各実施例における各要素は、本発明に対して以下のように対応している。本発明の請求項１は、少なくとも正規のメダル（３０ａ）であることを識別可能な識別情報（遊技場ＩＤ）が読み取り可能に記憶された記憶部（ＩＣチップ３４）を有するメダルの該記憶部（ＩＣチップ３４）に記憶されている識別情報（遊技場ＩＤ）を読み取る識別情報読み取り手段（ＲＦ−ＩＤ読み取りユニット２５）と、該識別情報読み取り手段（ＲＦ−ＩＤ読み取りユニット２５）にて読み取った前記メダルの識別情報（遊技場ＩＤ）が、正規のメダル（３０ａ）であることを示す識別情報（遊技場ＩＤ）であるか否かを照合する照合手段（制御部１３）と、該照合手段（制御部１３）による照合結果に基づいて、正規のメダル（３０ａ）と非正規のメダル（３０ｂ）とを振分ける振分け手段（経路切替ソレノイド２６、進路変更板２９）と、該振分け手段（経路切替ソレノイド２６、進路変更板２９）にて振分けられた正規のメダル（３０ａ）を計数する正規メダル計数手段（正規メダル検出センサ３８）と、前記振分け手段（経路切替ソレノイド２６、進路変更板２９）にて振分けられた非正規のメダル（３０ｂ）を計数する非正規メダル計数手段（非正規メダル検出センサ２８）と、該非正規メダル計数手段（非正規メダル検出センサ２８）にて計数された非正規のメダル（３０ｂ）を収集する非正規メダル収集手段（落下路３１、収集部２０）と、前記正規メダル計数手段（正規メダル検出センサ３８）にて計数された正規メダル数と前記非正規メダル計数手段（非正規メダル検出センサ２８）にて計数された非正規メダル数とを合算して総メダル数を算出する総メダル数算出手段（制御部１３）と、該総メダル数算出手段（制御部１３）にて算出された総メダル数を出力する総メダル数出力手段（総メダル数表示器９）と、を備える。
【００５６】
本発明の請求項２は、前記振分け手段（経路切替ソレノイド２６、進路変更板２９）は、メダル通路（２１）上の前記識別情報読み取り手段（ＲＦ−ＩＤ読み取りユニット２５）の下流位置に設けられ、メダル通路（２１）を正規なメダル（３０ａ）の経路と、非正規なメダル（３０ｂ）の経路とに切り替える経路切替部材（進路変更板２９）と、該経路切替部材（進路変更板２９）による経路を前記照合手段（制御部１３）による照合結果に基づいて切り替える制御を行う経路切替制御部（制御部１３）と、を含む。
【００５７】
本発明の請求項３は、前記総メダル数算出手段（制御部１３）は、前記非正規メダル計数手段（非正規メダル検出センサ２８）による１枚の非正規のメダル（３０ｂ）の計数毎に総メダル数への加算を実施し、前記総メダル数出力手段（総メダル数表示器９）は、該加算後の総メダル数を逐次出力する。
【００５８】
本発明の請求項４は、前記非正規メダル計数手段（非正規メダル検出センサ２８）にて計数された非正規のメダル（３０ｂ）数を出力する非正規メダル数出力手段（非正規メダル表示器１１）を備える。
【００５９】
本発明の請求項５は、前記照合手段（制御部１３）による照合結果に基づいて、非正規のメダル（３０ｂ）があった旨を報知する報知手段（報知ＬＥＤ４）を備える。
【００６０】
本発明の請求項６は、前記報知手段（報知ＬＥＤ４）は、前記非正規メダル計数手段（非正規メダル検出センサ２８）にて計数された非正規のメダル（３０ｂ）数が予め所定の枚数（５枚）以上であるときに非正規のメダル（３０ｂ）があった旨を報知する。
【００６１】
本発明の請求項７は、前記非正規メダル計数手段（非正規メダル検出センサ２８）にて計数された非正規のメダル（３０ｂ）数が予め所定の枚数（４枚）以下であるときに前記総メダル数算出手段（制御部１３）にて算出された総メダル数の情報が記録された記録媒体（レシート４１）を発行する。
【００６２】
本発明の請求項８は、その時点における日時情報を出力する日時情報出力手段（ＲＴＣ）と、前記正規メダル計数手段（正規メダル検出センサ３８）にて計数された正規のメダル（３０ａ）数と前記非正規メダル計数手段（非正規メダル検出センサ２８）にて計数された非正規のメダル数の計数結果を、前記日時情報出力手段（ＲＴＣ）から出力される日時情報に対応付けて計数履歴として記憶する計数履歴記憶手段（ＲＡＭ；計数履歴テーブル）と、該計数履歴記憶手段（ＲＡＭ；計数履歴テーブル）に記憶されている計数履歴を出力するための計数履歴出力手段（レシートプリンタ１２）と、を備える。
【００６３】
本発明の請求項９は、前記正規メダル計数手段（正規メダル検出センサ３８）にて計数された正規のメダル（３０ａ）数と前記非正規メダル計数手段（非正規メダル検出センサ２８）にて計数された非正規のメダル数の計数結果を計数履歴として記憶する計数履歴記憶手段（ＲＡＭ；計数履歴テーブル）と、前記計数履歴記憶手段（ＲＡＭ；計数履歴テーブル）に記憶されている計数履歴に基づいて、計数した正規のメダル（３０ａ）数と非正規のメダル（３０ｂ）数並びに総メダル数の累計枚数を集計する集計手段（制御部１３）と、該集計手段（制御部１３）により集計された正規のメダル（３０ａ）数と非正規のメダル（３０ｂ）数並びに総メダル数の累計枚数の情報を出力する累計枚数出力手段（レシートプリンタ１２）と、を備える。
【００６４】
以上、本発明を図面により説明してきたが、本発明はこれら実施例に限られるものではなく、本発明の要旨を逸脱しない範囲における変更や追加があっても本発明に含まれることは言うまでもない。
【００６５】
例えば、前記実施例では、振分け手段として経路切替部材である進路変更板２９と、該進路変更板２９による進路変更制御をソレノイド２６の励磁を制御することで実施する経路切替制御部としての制御基板１３とで構成しており、このようにすることは、簡素な構成で、正規と非正規のメダルを確実に振分けることができることから好ましいが、本発明はこれに限定されるものではなく、これらの振分け手段を、その他の構成、例えば、前記搬送路２１上の非正規メダルを、該搬送路２１外に送り出す送り出しベルト部材等により、経路の変更を実施するようにしても良い。
【００６６】
また、前記実施例では、非正規メダル数出力手段として非正規メダル表示器１１を設け、計数された非正規メダル数を表示するようにしており、このようにすることは、非正規のメダル数を簡便に確認することができることから好ましいが、本発明はこれに限定されるものではなく、これら非正規メダル表示器１１等による非正規メダル数の表示等の出力を実施しない構成としても良い。
【００６７】
また、前記実施例では、非正規のメダルがあった旨を報知する報知手段として報知ＬＥＤ４を備えており、このようにすることは、計数したメダル中に非正規のメダルが存在したことを簡便に確認することができることから好ましいが、本発明はこれに限定されるものではなく、これらの非正規のメダルが存在したことの報知を行わない構成としても良い。
【００６８】
また、前記実施例では、これら非正規のメダルがあった旨の報知を報知ＬＥＤ４にて実施するようにしているが、本発明はこれに限定されるものではなく、これら報知出力を、例えばホールコンピュータ等に対して出力するようにし、該ホールコンピュータにおいて非正規のメダルがあった旨の報知を表示する等により、メダルを投入した遊技者には、非正規のメダルがあった旨が認識されないようにしても良いし、更には、該メダル計数器１や或いは該メダル計数器１を撮像可能な位置に監視カメラ等を設けておき、これらの報知出力に基づいて、監視カメラの画像を記録できるようにしても良い。
【００６９】
また、前記実施例では、計数された非正規メダルが予め定められた枚数である４枚以下である場合においてのみ、計数結果が記録された記録媒体であるレシートを発行するようにしているが、本発明はこれに限定されるものではなく、これらの記録媒体であるレシートの発行を、非正規メダルの枚数に拘わらず、発行するようにしても良い。
【００７０】
また、前記実施例では、計数を実施した日時を計数結果とともに計数履歴として記憶しておき、該計数履歴を前記レシートプリンタ１２により発行（印刷出力）するようにしており、このようにすることは、計数の実施状況とともに、各計数における計数結果である正規のメダル数と非正規のメダル数を簡便に把握することができることから好ましいが、本発明はこれに限定されるものではなく、これらの計数履歴を出力しない構成としても良い。
【００７１】
また、前記実施例では、各計数における計数結果を記憶しておき、各計数結果における正規メダル数と非正規メダル数、並びに総メダル数の累計を算出して、レシートプリンタ１２により発行（印刷出力）するようにしており、このようにすることは、計数した正規のメダル数と非正規のメダル数の並びに総メダル数の累計枚数を簡便に把握することができることから好ましが、本発明はこれに限定されるものではなく、これら計数した正規のメダル数と非正規のメダル数並びに総メダル数の累計枚数を出力しない構成としても良い。
【００７２】
また、前記実施例では、計数履歴テーブルに記憶された各計数結果を加算することで、計数した正規のメダル数と非正規のメダル数並びに総メダル数の累計枚数を算出しているが、本発明はこれに限定されるものではなく、前記した履歴を記憶せずに、各計数結果の正規のメダル数と非正規のメダル数並びに総メダル数を逐次加算して記憶しておくようにしても良い。
【００７３】
また、前記実施例では、搬送路２１上をゴムベルト２４にてメダル３０を搬送するようにしているが、本発明はこれに限定されるものではなく、これら搬送路２１を傾斜状に架設して、ゴムベルト２４等による搬送を実施することなく、搬送路２１上をメダルが移動するようにしても良い。
【００７４】
【発明の効果】
本発明は次の効果を奏する。
（ａ）請求項１の発明によれば、計数メダル中に自店の識別情報と一致しない非正規のメダルが混入していた場合であっても、該非正規と判断された非正規メダルの枚数が、前記非正規メダル計数手段により計数され、前記正規と判定されて正規メダル計数手段により計数された正規メダル数と合算されて、該合算後の総メダル数が計数されたメダル数として出力されるようになるため、これら非正規のメダル数を遊技者が損してしまうことを解消できる。
【００７５】
（ｂ）請求項２の発明によれば、簡素な構成で、正規と非正規のメダルを確実に振分けることができる。
【００７６】
（ｃ）請求項３の発明によれば、１枚の非正規のメダルの計数毎に、総メダル数への加算並びに総メダル数出力を実施することで、非正規のメダルがあった場合でも、遊技者に対して違和感を与えてしまうことを防止できる。
【００７７】
（ｄ）請求項４の発明によれば、非正規のメダル数を簡便に確認することができる。
【００７８】
（ｅ）請求項５の発明によれば、非正規のメダルの存在を簡便に確認することができる。
【００７９】
（ｆ）請求項６の発明によれば、所定の枚数未満の少量の非正規メダルが混入している場合には、一々報知されることがなくなるので、頻繁に報知がなされることにともなう係員等の確認労力を低減できる。
【００８０】
（ｇ）請求項７の発明によれば、非正規のメダル数が所定枚数を越えたときには、総メダル数の情報が記録された記録媒体の発行がなされないことから、非正規のメダルを使用しての不正な記録媒体の発行を回避できる。
【００８１】
（ｈ）請求項８の発明によれば、計数の実施状況とともに、各計数における正規のメダル数と非正規のメダル数である計数結果を簡便に把握することができる。
【００８２】
（ｉ）請求項９の発明によれば、計数した正規のメダル数と非正規のメダル数並びに総メダル数の累計枚数を簡便に把握することができる。
【図面の簡単な説明】
【図１】本実施例のメダル計数機を示す外観斜視図である。
【図２】本実施例のメダル計数機を示す側断面図である。
【図３】本実施例のメダル計数機の内部を上面側から見た図である。
【図４】（ａ）は、本実施例に用いたＩＣメダルを示す外観図である。（ｂ）は、本実施例に用いたＩＣメダルを示す側断面図である。
【図５】本実施例のメダル計数機の構成を示すブロック図である。
【図６】本実施例のメダル計数機に登録された計数履歴テーブルの構成を示す図である。
【図７】本実施例のメダル計数機における計数履歴の出力状況を示す図である。
【図８】本実施例のメダル計数機における処理内容を示すフロー図である。
【符号の説明】
１        メダル計数機
４        報知ＬＥＤ
９        総メダル数表示器
１０      正規メダル表示器
１１      非正規メダル表示器
１２      レシートプリンタ
１３      制御部
２０      収集部
２５      ＲＦ−ＩＤ読み取りユニット
２６      経路切替ソレノイド
２９      進路変更板
３１      落下路
３４      ＩＣチップ
４１      レシート
【図１】
2004236741.tif 000003
【図２】
2004236741.tif 000004
【図３】
2004236741.tif 000005
【図４】
2004236741.tif 000006
【図５】
2004236741.tif 000007
【図６】
2004236741.tif 000008
【図７】
2004236741.tif 000009
【図８】
2004236741.tif 000010